(57)【要約】シグナリング処理装置に、接続中のリンクの障害を検出して、対向するシグナリング処理装置にリンク解放処理要求を通知後、リンク解放処理要求に対する応答を受信した場合に、レイヤ３のメッセージ転送部に対して、接続していたリンクの停止（解放）完了を示す信号を通知するレイヤ２のメッセージ転送部と、前記リンクの停止（解放）完了を示す信号の通知を受けた場合に、レイヤ２のメッセージ転送部に記憶されている未回収の受信信号の回収処理を実施するレイヤ３のメッセージ転送部を設けた。図２
2010084992.tif 000002
【特許請求の範囲】
【請求項１】
接続中のリンクの障害を検出するリンク障害検出手段と、レイヤ２のメッセージ転送部と、レイヤ３のメッセージ転送部とを備え、
前記レイヤ２のメッセージ転送部は、前記リンク障害検出手段がリンクの障害を検出し、対向するシグナリング処理装置にリンク解放処理要求を通知後、リンク解放処理要求に対する応答を受信した場合に、前記レイヤ３のメッセージ転送部に対して、接続していたリンクの停止（解放）完了を示す信号を通知し、
前記レイヤ３のメッセージ転送部は、前記リンクの停止（解放）完了を示す信号の通知を受けた場合に、前記レイヤ２のメッセージ転送部に記憶されている未回収の受信信号の回収処理を実施する
ことを特徴とするシグナリング処理装置。
【請求項２】
請求項１に記載のシグナリング処理装置において、前記レイヤ２のメッセージ転送部は、対向するシグナリング処理装置にリンク解放処理要求を通知後、切断起動中状態に遷移するまでに、前記対向するシグナリング処理装置から送信された送信信号を受信した場合に、前記送信信号を記憶することを特徴とするシグナリング処理装置。
【請求項３】
請求項１及び２のいずれかに記載のシグナリング処理装置において、前記レイヤ３のメッセージ転送部は、前記リンク解放処理要求を通知後、前記リンクの停止（解放）完了を示す信号の通知を受けるまで、レイヤ２から、対向するシグナリング処理装置から受信した信号の回収を待機することを特徴とするシグナリング処理装置。
【請求項４】
請求項１に記載のシグナリング処理装置において、前記レイヤ３のメッセージ転送部は、
リンク解放処理要求を通知後、前記リンクの停止（解放）完了を示す信号の通知を受けるまで、レイヤ２のメッセージ転送部に対するＳＤ（Ｓｅｑｕｅｎｃｅｄ  Ｄａｔａ）信号の回収要求を待機すると共に、
前記リンクの停止（解放）完了を示す信号の通知を受けた場合に、レイヤ２のメッセージ転送部に記憶されている前記ＳＤ信号を回収する
ことを特徴とするシグナリング処理装置。
【請求項５】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置を備え、
前記レイヤ３のメッセージ転送部は、
前記ＳＳＣＦ処理装置に同位間通信の停止を要求し、
同位間通信の停止を要求後、前記ＳＳＣＦ処理装置からリンク解放の完了を示す信号を受けるまで、前記ＳＳＣＦ処理装置に対するＢＳＮＴ回収要求の送信を待機すると共に、前記リンク解放の完了を示す信号を受けた場合に、前記ＳＳＣＦ処理装置に対してＢＳＮＴ回収要求を送信して、回収すべきＳＤ（Ｓｅｑｕｅｎｃｅｄ  Ｄａｔａ）信号のシーケンス番号を取得し、
前記取得した回収すべきＳＤ信号のシーケンス番号に基づいて、前記ＳＳＣＦ処理装置に対して、未回収信号の回収要求を送信して、前記回収すべきＳＤ信号を回収する
ことを特徴とするシグナリング処理装置。
【請求項６】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記ＳＳＣＦ処理装置は、
前記レイヤ３のメッセージ転送部から送信された同位間通信の停止の要求を受けて、前記ＳＳＣＯＰ処理装置に対してＡＡ−解放−要求を送信すると共に非運用／出側切断起動中状態に遷移し、
非運用／出側切断起動中状態で、前記ＳＳＣＯＰ処理装置からＡＡ−解放−確認を受信したときに、前記レイヤ３のメッセージ転送部に対して、リンク解放の完了を示す信号を通知すると共に、非運用／アイドル状態に遷移する
ことを特徴とするシグナリング処理装置。
【請求項７】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記レイヤ３のメッセージ転送部は、前記ＳＳＣＦ処理装置に同位間通信の停止を要求し、同位間通信の停止を要求後、前記ＳＳＣＦ処理装置からリンク解放の完了を示す信号を受けるまで、前記ＳＳＣＦ処理装置に対するＢＳＮＴ回収要求の送信を待機すると共に、前記リンク解放の完了を示す信号を受けた場合に、前記ＳＳＣＦ処理装置に対してＢＳＮＴ回収要求を送信して、回収すべきＳＤ（Ｓｅｑｕｅｎｃｅｄ  Ｄａｔａ）信号のシーケンス番号を取得し、前記取得した回収すべきＳＤ信号のシーケンス番号に基づいて、前記ＳＳＣＦ処理装置に対して、未回収信号の回収要求を送信して、前記回収すべきＳＤ信号を回収し、
前記ＳＳＣＦ処理装置は、前記レイヤ３のメッセージ転送部から送信された同位間通信の停止の要求を受けて、前記ＳＳＣＯＰ処理装置に対してＡＡ−解放−要求を送信すると共に非運用／出側切断起動中状態に遷移し、非運用／出側切断起動中状態で、前記ＳＳＣＯＰ処理装置からＡＡ−解放−確認を受信したときに、前記レイヤ３のメッセージ転送部に対して、リンク解放の完了を示す信号を通知すると共に、非運用／アイドル状態に遷移する
ことを特徴とするシグナリング処理装置。
【請求項８】
請求項７記載のシグナリング処理装置において、
前記レイヤ３のメッセージ転送部は、勧告Ｑ．２２１０に準拠し、
前記ＳＳＣＦは、勧告Ｑ．２１４０に準拠し、
前記レイヤ３のメッセージ転送部は、同位間通信の停止を要求して、前記ＳＳＣＦからリンク解放の完了を示す信号を受けるまで、前記ＳＳＣＦに対するＢＳＮＴ回収要求の送信を待機し、
前記ＳＳＣＦから前記リンク解放の完了を示す信号を受けた場合に、前記ＳＳＣＦに対してＢＳＮＴ回収要求を送信して、回収すべきＳＤ信号のシーケンス番号を取得し、
前記取得した回収すべきＳＤ信号のシーケンス番号に基づいて、前記ＳＳＣＦに対して、未回収信号の回収要求を送信して、前記回収すべきＳＤ信号を回収する
ことを特徴とするシグナリング処理装置。
【請求項９】
レイヤ２のメッセージ転送部及びレイヤ３のメッセージ転送部を備えるシグナリング処理装置が、対向するシグナリング処理装置との間に接続中のリンクの障害を検出する障害検出段階と、
前記対向するシグナリング処理装置にリンク解放処理要求を通知する要求通知段階と、
前記リンク解放処理要求に対する応答を受信した場合に、前記レイヤ２のメッセージ転送部から前記レイヤ３のメッセージ転送部に対して、接続していたリンクの停止（解放）完了を示す信号を通知する停止通知段階と、
前記レイヤ３のメッセージ転送部は、前記リンクの停止（解放）完了を示す信号の通知を受けて、前記レイヤ２のメッセージ転送部に記憶されている未回収の受信信号の回収処理を実施する回収段階と、
前記未回収の受信信号の回収処理を実施後に、前記対向するシグナリング処理装置間とのリンクを切り替える切替段階と
を含むことを特徴とするリンク切替方法。
【請求項１０】
請求項９に記載のリンク切替方法において、
前記停止通知段階にて、前記リンク解放処理要求を通知してから切断起動中状態に遷移するまでに、前記対向するシグナリング処理装置から送信された送信信号を受信した場合に、前記送信信号を記憶し、
前記未回収の受信信号の回収処理として、前記送信信号の回収処理を実施後に、前記切替段階を行う
ことを特徴とするリンク切替方法。
【請求項１１】
請求項９及び１０のいずれかに記載のリンク切替方法において、
前記レイヤ３のメッセージ転送部は、リンク解放処理要求を通知後、前記リンクの停止（解放）完了を示す信号の通知を受けるまで、前記レイヤ２のメッセージ転送部に対する送信信号の回収を待機する
ことを特徴とするリンク切替方法。
【請求項１２】
請求項９に記載のリンク切替方法において、
前記レイヤ２のメッセージ転送部はＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置を備え、
前記対向するシグナリンク処理装置との間のリンクの障害をレイヤ３のメッセージ転送部にて検出する段階と、
前記レイヤ３のメッセージ転送部から前記ＳＳＣＦに対して、同位間通信の停止を要求する段階と、
前記レイヤ３のメッセージ転送部から前記ＳＳＣＦに対するＢＳＮＴ回収要求の送信を待機する段階と、
前記ＳＳＣＦからリンク解放の完了を示す信号の受信に応じて、前記レイヤ３のメッセージ転送部が前記ＳＳＣＦに対してＢＳＮＴ回収要求を送信して、回収すべきＳＤ（Ｓｅｑｕｅｎｃｅｄ  Ｄａｔａ）信号のシーケンス番号を取得する段階と、
前記取得した回収すべきＳＤ信号のシーケンス番号に基づいて、前記レイヤ３のメッセージ転送部が前記ＳＳＣＦに対して、未回収信号の回収要求を送信して、前記回収すべきＳＤ信号を回収する段階と
を含むことを特徴とするリンク切替方法。
【請求項１３】
請求項９に記載のリンク切替方法において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記レイヤ３のメッセージ転送部から送信された同位間通信の停止の要求を受けて、前記ＳＳＣＦ処理装置から前記ＳＳＣＯＰ処理装置に対してＡＡ−解放−要求を送信すると共に、前記ＳＳＣＦ処理装置が非運用／出側切断起動中状態に遷移する段階と、
非運用／出側切断起動中状態で、前記ＳＳＣＯＰ処理装置からＡＡ−解放−確認を受信したときに、前記ＳＳＣＦ処理装置が前記レイヤ３のメッセージ転送部に対して、リンク解放の完了を示す信号を通知すると共に、非運用／アイドル状態に遷移する段階と
を含むことを特徴とするリンク切替方法。
【請求項１４】
請求項９に記載のリンク切替方法において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記対向するシグナリンク処理装置との間のリンクの障害をレイヤ３のメッセージ転送部にて検出する段階と、
前記レイヤ３のメッセージ転送部から前記ＳＳＣＦに対して、同位間通信の停止を要求する段階と、
前記レイヤ３のメッセージ転送部から前記ＳＳＣＦに対するＢＳＮＴ回収要求の送信を待機する段階と、
前記レイヤ３のメッセージ転送部から送信された同位間通信の停止の要求を受けて、前記ＳＳＣＦ処理装置から前記ＳＳＣＯＰ処理装置に対してＡＡ−解放−要求を送信すると共に、前記ＳＳＣＦ処理装置が非運用／出側切断起動中状態に遷移する段階と、
非運用／出側切断起動中状態で、前記ＳＳＣＯＰ処理装置からＡＡ−解放−確認を受信したときに、前記ＳＳＣＦ処理装置が前記レイヤ３のメッセージ転送部に対して、リンク解放の完了を示す信号を通知すると共に、非運用／アイドル状態に遷移する段階と、
前記ＳＳＣＦからリンク解放の完了を示す信号の受信に応じて、前記レイヤ３のメッセージ転送部が前記ＳＳＣＦに対してＢＳＮＴ回収要求を送信して、回収すべきＳＤ（Ｓｅｑｕｅｎｃｅｄ  Ｄａｔａ）信号のシーケンス番号を取得する段階と、
前記取得した回収すべきＳＤ信号のシーケンス番号に基づいて、前記レイヤ３のメッセージ転送部が前記ＳＳＣＦに対して、未回収信号の回収要求を送信して、前記回収すべきＳＤ信号を回収する段階と
を含むことを特徴とするリンク切替方法。
【請求項１５】
請求項１４記載のリンク切替方法において、
前記レイヤ３のメッセージ転送部は、勧告Ｑ．２２１０に準拠し、
前記ＳＳＣＦは、勧告Ｑ．２１４０に準拠し、
前記レイヤ３のメッセージ転送部は、レイヤ２のＳＳＣＦ−ＮＮＩに同位間通信の停止を要求して、前記ＳＳＣＦからリンク解放の完了を示す信号を受けるまで、前記ＳＳＣＦに対するＢＳＮＴ回収要求の送信を待機し、
前記ＳＳＣＦから前記リンク解放の完了を示す信号を受けた場合に、前記ＳＳＣＦに対してＢＳＮＴ回収要求を送信して、回収すべきＳＤ信号のシーケンス番号を取得し、
前記取得した回収すべきＳＤ信号のシーケンス番号に基づいて、前記ＳＳＣＦに対して、未回収信号の回収要求を送信して、前記回収すべきＳＤ信号を回収し、
前記ＳＤ信号の回収処理を実施後に、対向するシグナリング処理装置間とのリンクを切替える
ことを特徴とするリンク切替方法。
【発明の詳細な説明】
【技術分野】
【０００１】
本発明は、対向する装置間で通信を行なうシグナリング処理装置に関し、詳しくは、シグナリング処理装置ノード間でのリンク切替方法に関する。
【背景技術】
【０００２】
例えば、ＡＴＭ（Ａｓｙｎｃｈｒｏｎｏｕｓ  Ｔｒａｎｓｆｅｒ  Ｍｏｄｅ）網に接続しているシグナリング処理装置は、リンク障害検出手段を有し、ＡＴＭ網経由でリンク確立している対向ノードとのリンクにおいてシグナリング信号の送受信に影響を受けるような障害を検出した場合、障害の発生していない別のリンクにリンク切替えを行なうことによりシグナリング信号の通信を維持している。
関連するシグナリング処理装置のリンク切替方法について図４を参照して説明する。
図４において、ノードＡ−ノードＢ間で接続しているリンクにて信号（Ｓｅｑｕｅｎｃｅｄ  Ｄａｔａ或いはＳＤ）を送受信している状態でノードＡがリンク障害を検出した場合、リンク切替えを行なうためノードＡのＭＴＰ３は、ＡＡＬ−停止を送信する。ＭＴＰ３からＡＡＬ−停止を受信したＳＳＣＦ−ＮＮＩは、ＳＳＣＯＰにＡＡ−解放−要求を送信して１／４／１（非運用／出側切断起動中）状態に遷移する。ＡＡ−解放−要求を受信したＳＳＣＯＰは、ノードＢにＥＮＤを送信して４（出側切断起動中）状態に遷移する。尚、ＡＡＬはＡＴＭ  Ａｄａｐｔａｔｉｏｎ  Ｌａｙｅｒの略であり、ＳＳＣＦはＳｅｒｖｉｃｅ  Ｓｐｅｃｉｆｉｃ  Ｃｏｏｒｄｉｎａｔｉｏｎ  Ｆｕｎｃｔｉｏｎの略であり、ＮＮＩはＮｅｔｗｏｒｋ  Ｎｏｄｅ  Ｉｎｔｅｒｆａｃｅの略であり、ＳＳＣＯＰはＳｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌの略である。
このＥＮＤ送信とすれ違いでノードＢから送信された信号（ＳＤ）（シーケンス番号（ＳＮ＝１０１））を、ＳＳＣＯＰがＥＮＤを送信して１０（データ転送）状態から４（出側切断起動中）状態に遷移する前に受信した場合は、ＳＳＣＯＰは、ＡＡ−データ−表示にてＳＳＣＦ−ＮＮＩに信号のシーケンス番号（ＳＮ＝１０１）を通知する。
ＭＴＰ３は、ＡＡＬ−停止を送信した後の任意のタイミングでＡＡＬ−ＢＳＮＴ回収−要求をＳＳＣＦ−ＮＮＩに送信する。ＳＳＣＦ−ＮＮＩは、ＡＡＬ−ＢＳＮＴ回収−要求を受けて、４（出側切断起動中）状態に遷移する前に受信した最後の信号のシーケンス番号（ＳＮ＝１０１）をＡＡＬ−ＢＳＮＴ−確認でＭＴＰ３に通知する。
送信したＥＮＤに対するノードＢからのＥＮＤＡＫを受信したＳＳＣＯＰは、ＡＡ−解放−確認をＳＳＣＦ−ＮＮＩに送信して１（アイドル）状態に遷移する。ＡＡ−解放−確認を受信したＳＳＣＦ−ＮＮＩは、１／１／１（非運用／アイドル）状態に遷移してリンクを停止する。
関連する文献としては、特開２００３−１２４９９５号公報（以下特許文献１と記す）ないし特開２００４−１１２４１９号公報（以下特許文献２と記す）が挙げられる。また、上記技術や使用する用語は、例えば、ＴＴＣ  ＪＴ−Ｑ２１１０（以下非特許文献１と記す）、ＴＴＣ  ＪＴ−Ｑ２１４０（以下非特許文献２と記す）、ＩＵＴ−Ｔ  Ｑ．２１１０（以下非特許文献３と記す）、ＩＴＵ−Ｔ  Ｑ．２１４０（以下非特許文献４と記す）、ＮＴＴ仕様：技術的条件集別表  ３．１  ＭＴＰ仕様（信号用ＡＴＭインタフェース）（以下非特許文献５と記す）、栗林伸一著、「やさしいＡＴＭネットワーク信号方式」発行：電気通信協会、発売元：オーム社（以下非特許文献６と記す）に記載されている。
特許文献１には、勧告Ｑ．２１１０に基づくＳＳＣＯＰ機能部（プロトコル処理部）を備えた通信制御装置（シグナリング処理装置）が記載されている。また、勧告Ｑ．２１３０に基づくＳＳＣＦ機能部の動作が記載されている。また、装置間のコネクションの解放手順が［００４１］に記載されている。
特許文献２には、特許文献１と同様に、ＳＳＣＯＰ及びＳＳＣＦを用いてＡＡＬを構成するＡＴＭ通信装置が記載されている。特許文献２には、ＳＳＣＦ−レイヤ３間のプリミティブ及び、ＳＳＣＦ−ＳＳＣＯＰ間の信号の例が［００１２］、［００１３］に記載されている。
【発明の開示】
【発明が解決しようとする課題】
【０００３】
しかしながら、上記記載の方法や特許文献１及び２に記載のシグナリング処理装置間のリンク切替えにおいては、次のような課題がある。
シグナリング処理装置の一方によって、接続中のリンクの障害を検出して、対向するシグナリング処理装置にリンク解放処理要求（ＡＴＭの場合ＥＮＤ）を通知するとほぼ同時的に、対向するシグナリング処理装置から送信されたＳＤ信号は、リンク切替処理に伴い失われる。
換言すれば、リンク解放処理要求が送信されてから、対向するシグナリング処理装置がリンク解放処理要求を受信するまでの間に、対向するシグナリング処理装置が送信したＳＤ信号は、処理の過程上救済されずに失われてしまう。
図４に示す例では、ＳＳＣＦ−ＮＮＩが１／４／１状態の時、ＡＡ−データ−表示にてＳＳＣＯＰから受信した信号（シーケンス番号（ＳＮ＝１０１））を即時に廃棄する仕様であれば、信号を受信した時点で信号（ＳＮ＝１０１）のロスが発生する。
また、ＭＴＰ３からのＡＡＬ−ＢＳＮＴ回収−要求に対して、最後に受信した信号のシーケンス番号（ＳＮ＝１０１）をＡＡＬ−ＢＳＮＴ−確認にてＭＴＰ３に通知した後のタイミングで、この受信信号のシーケンス番号（ＳＮ＝１０１）をＳＳＣＦ−ＮＮＩが廃棄するような仕様となっていた場合、シグナリング処理装置は、受信した信号（シーケンス番号（ＳＮ＝１０１））をロスすることと成る。
本発明の目的は、接続中リンクの障害を検出したときのリンク切替え時に、リンク切替えによる信号ロスを防止するシグナリング処理装置を提供することにある。
本発明の別の目的は、接続中のリンクの障害を検出したシグナリング処理装置において、リンク切替えによる信号ロスが発生しないリンク切替方法を提供することにある。
【課題を解決するための手段】
【０００４】
本発明のシグナリング処理装置は、接続中のリンクの障害を検出して、対向するシグナリング処理装置にリンク解放処理要求を通知後、リンク解放処理要求に対する応答を受信した場合に、レイヤ３のメッセージ転送部に対して、接続していたリンクの停止（解放）完了を示す信号を通知するレイヤ２のメッセージ転送部と、前記リンクの停止（解放）完了を示す信号の通知を受けた場合に、レイヤ２のメッセージ転送部に記憶されている未回収の受信信号の回収処理を実施するレイヤ３のメッセージ転送部とを備えることを特徴とする。
本発明のリンク切替方法は、シグナリング処理装置において、接続中のリンクの障害を検出し、対向するシグナリング処理装置にリンク解放処理要求を通知し、前記リンク解放処理要求に対する応答を受信した場合に、レイヤ２のメッセージ転送部からレイヤ３のメッセージ転送部に対して、接続していたリンクの停止（解放）完了を示す信号を通知し、前記レイヤ３のメッセージ転送部は、前記リンクの停止（解放）完了を示す信号の通知を受けて、レイヤ２のメッセージ転送部に記憶されている未回収の受信信号の回収処理を実施し、前記未回収の受信信号の回収処理を実施後に、対向するシグナリング処理装置間とのリンクを切替えることを特徴とする。
【発明の効果】
【０００５】
本発明によれば、接続中リンクの障害を検出したときのリンク切替え時に、リンク切替えによる信号ロスを防止するシグナリング処理装置を提供できる。
また、本発明によれば、接続中のリンクの障害を検出したシグナリング処理装置において、リンク切替えによる信号ロスが発生しないリンク切替方法を提供できる。
【図面の簡単な説明】
【０００６】
図１は実施の一形態のＡＴＭ網に接続しているシグナリング処理装置を例示する機能構成図である。
図２は第１の実施の一形態のＡＴＭ網に接続しているシグナリング処理装置間におけるリンク切換動作を例示するシーケンス図である。
図３は第２の実施の一形態のＡＴＭ網に接続しているシグナリング処理装置間におけるリンク切換動作を例示するシーケンス図である。
図４は勧告に順ずるＡＴＭ網に接続しているシグナリング処理装置間におけるリンク切換動作を例示するシーケンス図である。
【発明を実施するための最良の形態】
【０００７】
以下、本発明の一実施の形態について、図１ないし２を参照して、詳細に説明する。
図１は、実施の一形態のＡＴＭ網に接続しているシグナリング処理装置を例示する機能構成図である。
図１を参照すると、ＡＴＭ網に接続しているシグナリング処理装置であるノードＡ１は、レイヤ３のメッセージ転送部であるＭＴＰ３  １１、レイヤ２のメッセージ転送部であるＭＴＰ２  １２から構成される。ＭＴＰ２  １２は、ＳＳＣＦ−ＮＮＩ１３、ＳＳＣＯＰ１４から構成される。また、ノードＢ２は、ＭＴＰ３’  ２１、レイヤ２のメッセージ転送部ＭＴＰ２’  ２２構成される。ＭＴＰ２’  ２２は、ＳＳＣＦ−ＮＮＩ’  ２３、ＳＳＣＯＰ’  ２４から構成される。
シグナリング処理装置であるノードＡ１は、ノードＡ１と接続している他のノードから送信される送信信号であるシグナリングデータを受信して、ＭＴＰ３  １１でＭＴＰレベル３を終端し、抽出したシグナリングデータをＳＳＣＦ−ＮＮＩ１３、ＳＳＣＯＰ１４を経由してＡＴＭ網の対向でリンク接続しているノードＢ２にシグナリングデータ（ＳＤ）を送信する。
ノードＢ２は、ノードＢ２と接続している他のノードから送信されるシグナリングデータを受信して、ＭＴＰ３’  ２１でＭＴＰレベル３を終端し、抽出したシグナリングデータをＳＳＣＦ−ＮＮＩ’  ２３、ＳＳＣＯＰ’  ２４を経由してＡＴＭ網でリンク接続しているノードＡにシグナリングデータ（ＳＤ）を送信する。
ノードＡ１−Ｂ２間の接続リンクでリンク障害を検出したノードＡ１は、ＭＴＰ３  １１からレイヤ２への同位間通信停止の要求であるＡＡＬ−停止をＳＳＣＦ−ＮＮＩ１３に送信する。このとき、ＭＴＰ３  １１は、後述する接続していたリンクの停止（解放）完了を示す信号（リンク停止完了信号）の通知があるまで、ＡＡＬ−ＢＳＮＴ回収−要求を送信しない設定を行なう。
ＡＡＬ−停止を受信したＳＳＣＦ−ＮＮＩ１３は、ＡＡ−解放−要求をＳＳＣＯＰ１４に送信して１／４／１（非運用／出側切断起動中）状態に遷移する。ＡＡ−解放−要求を受信したＳＳＣＯＰ１４は、ノードＢ２にリンク解放処理要求であるＥＮＤを送信し、４（出側切断起動中）状態に遷移する。ＥＮＤ送信とすれ違いで、４（出側切断起動中）状態に遷移する前にノードＢ２が送信した信号（ＳＤ）のシーケンス番号（ＳＮ＝１０１）を受信した場合、ＳＳＣＯＰ１４は、ＡＡ−データ−表示にてＳＳＣＦ−ＮＮＩ１３に信号のシーケンス番号（ＳＮ＝１０１）を送信する。尚、４（出側切断起動中）状態に遷移後であっても、ＥＮＤＡＫを受信するまで、ＳＳＣＦ−ＮＮＩ１３に信号のシーケンス番号を送信するようにしても良い。
ＡＡ−データ−表示にて信号のシーケンス番号（ＳＮ＝１０１）を受信したＳＳＣＦ−ＮＮＩ１３は、１／４／１（非運用／出側切断起動中）状態であるため受信した信号のシーケンス番号を破棄する。送信したリンク解放処理要求に対する応答（ＥＮＤ応答）としてノードＢ２からのＥＮＤＡＫを受信したＳＳＣＯＰ１４は、ＡＡ−解放−確認をＳＳＣＦ−ＮＮＩ１３に送信し、１（アイドル）状態に遷移する。
尚、ＳＳＣＦ−ＮＮＩ１３が、１／４／１（非運用／出側切断起動中）状態であるときに受信信号のシーケンス番号を破棄するか否かは、ＳＳＣＦ−ＮＮＩの勧告Ｑ．２１４０にて規定されていないため任意である。また、ＭＴＰ３からのＡＡＬ−停止に対する応答方法、及び、ＭＴＰ３からＡＡＬ−ＢＳＮＴ回収−要求を送信するタイミングについても、ＭＴＰ３の勧告Ｑ．２２１０、ＳＳＣＦ−ＮＮＩの勧告Ｑ．２１４０には何ら規定されておらず任意である。当該実施の一形態では、ＳＳＣＦ−ＮＮＩが１／４／１状態の時、ＡＡ−データ−表示にてＳＳＣＯＰから受信した信号（シーケンス番号（ＳＮ＝１０１））を即時に廃棄する仕様であるものとする。
ＡＡ−解放−確認を受信したＳＳＣＦ−ＮＮＩ１３は、ＭＴＰ３  １１に接続していたリンクの停止（解放）完了を示す信号であるリンク停止完了信号を送信して１／１／１（非運用／アイドル）状態に遷移することでリンク停止が完了する。リンク停止完了信号とは、ＭＴＰ２からＭＴＰ３に対してリンク停止処理が完了したことを通知する信号である。
リンク停止完了信号を受信したＭＴＰ３  １１は、回収すべきＳＤ信号のシーケンス番号を取得するため、ＡＡＬ−ＢＳＮＴ回収−要求をＳＳＣＦ−ＮＮＩ１３に送信する。ＳＳＣＦ−ＮＮＩ１３は、ＡＡＬ−ＢＳＮＴ回収−要求を受けて、最後に受信した信号のシーケンス番号をＡＡＬ−ＢＳＮＴ−確認でＭＴＰ３  １１に通知する。
ＭＴＰ３  １１は、リンク停止前にＳＳＣＦ−ＮＮＩ１３から受信した信号のシーケンス番号とＡＡＬ−ＢＳＮＴ−確認で通知された信号のシーケンス番号の差分をとり回収すべき信号を識別し、未回収の信号を回収するためにＡＡＬ−回収要求−ＦＳＮＣ−要求をＳＳＣＦ−ＮＮＩ１３に送信する。
ＡＡＬ−回収要求−ＦＳＮＣ−要求を受信したＳＳＣＦ−ＮＮＩ１３は、ＡＡ−回収−要求をＳＳＣＯＰ１４に送信し、ＳＳＣＯＰ１４は受信バッファに残っている信号をＡＡ−回収−表示に載せてＳＳＣＦ−ＮＮＩ１３に送信し、ＡＡ−回収−表示を受信したＳＳＣＦ−ＮＮＩ１３は、ＡＡＬ−回収メッセージ−表示で回収した信号をＭＴＰ３  １１に送信する。
ＭＴＰ３  １１は、先ほど確認したシーケンス番号の差分回数分だけ、ＡＡＬ−回収要求−ＦＳＮＣ−要求送信からＡＡＬ−回収メッセージ−表示受信を繰返し、ＭＴＰ２  １２に残っている受信信号を全て回収する。ＭＴＰ３  １１は、ＸＣＯにて回収した最後の信号のシーケンス番号をノードＢ２に通知する。
ＸＣＯを受信したノードＢ２のＭＴＰ３’  ２１は、ノードＡ１が受信した信号の次のシーケンス番号の信号を回収するためにＡＡＬ−回収要求−ＦＳＮＣ−要求をＳＳＣＦ−ＮＮＩ’  ２３に送信する。ＡＡＬ−回収要求−ＦＳＮＣ−要求を受信したＳＳＣＦ−ＮＮＩ’  ２３は、ＡＡ−回収−要求をＳＳＣＯＰ’  ２４に送信し、ＳＳＣＯＰ’  ２４は送信バッファに残っている信号をＡＡ−回収−表示に載せてＳＳＣＦ−ＮＮＩ’  ２３に送信する。ＳＳＣＦ−ＮＮＩ’  ２３は、ＡＡ−回収−表示にて回収された信号をＡＡＬ−回収メッセージ−表示に載せてＭＴＰ３’  ２１に送信する。ＭＴＰ３’  ２１は回収した信号を新たなリンクのＭＴＰ３’に渡し、以降新たな信号（ＳＤ）を新リンクに送信する。
このようにノードＡ１及びノードＢ２を動作させることによりリンク切替えを完了する。
次に図２のシーケンス図を使用して、実施の一形態であるＡＴＭ網に接続しているシグナリング処理装置間におけるリンク切替えの動作例について詳細に説明する。
図２は、実施の一形態のＡＴＭ網に接続しているシグナリング処理装置におけるリンク切換動作を例示するシーケンス図である。ここではシグナリング信号の送信方向をシグナリング処理装置であるノードＢ２からノードＡ１とした場合の動作について説明するが、逆方向のシグナリング信号も送信されている。尚、逆方向のシグナリングデータの送信は、本発明と直接関係しないので説明を省略する。
まず、シグナリング処理装置ノードＢ２との間の接続リンクでリンク障害を検出したシグナリング処理装置ノードＡ１は、ＭＴＰ３  １１からＡＡＬ−停止を送信し、ＡＡＬ−停止を受信したＳＳＣＦ−ＮＮＩ１３がＡＡ−解放−要求を送信して１／４／１（非運用／出側切断起動中）状態に遷移し、ＡＡ−解放−要求を受信したＳＳＣＯＰ１４がノードＢ２にＥＮＤを送信して（Ｓ１）、４（出側切断起動中）状態に遷移する。
ノードＡ１からのＥＮＤの送信とすれ違いで、ＳＳＣＯＰ１４が４（出側切断起動中）状態に遷移する前にノードＢ２から送信された信号（ＳＤ）（シーケンス番号（ＳＮ＝１０１））を受信した場合、ＡＡ−データ−表示にてＳＳＣＦ−ＮＮＩ１３に信号のシーケンス番号（ＳＮ＝１０１）を通知する（Ｓ２）。
ＡＡ−データ−表示にて信号のシーケンス番号（ＳＮ＝１０１）を受信したＳＳＣＦ−ＮＮＩ１３は、１／４／１（非運用／出側切断起動中）状態であるため受信した信号のシーケンス番号（ＳＮ＝１０１）を破棄する（Ｓ３）。
ＳＳＣＯＰ１４から送信されたＥＮＤを受信したノードＢ２のＳＳＣＯＰ’  ２４は、ＳＳＣＯＰ１４にＥＮＤＡＫを送信する（Ｓ４）。
ＥＮＤＡＫを受信したＳＳＣＯＰ１４は、ＡＡ−解放−確認をＳＳＣＦ−ＮＮＩ１３に送信し、１（アイドル）状態に遷移し、ＡＡ−解放−要求を受信したＳＳＣＦ−ＮＮＩ１３は、ＭＴＰ３  １１にリンク停止完了信号を送信し（Ｓ５）、１／１／１（非運用／アイドル）状態に遷移してリンク停止する。
リンク停止完了信号を受信したＭＴＰ３  １１は、ＡＡＬ−ＢＳＮＴ回収−要求をＳＳＣＦ−ＮＮＩ１３に送信し、ＳＳＣＦ−ＮＮＩ１３は破棄していない最後に受信した信号のシーケンス番号（ＳＮ＝１００）をＡＡＬ−ＢＳＮＴ−確認にてＭＴＰ３  １１に通知する（Ｓ６）。
ＭＴＰ３  １１は、リンク停止前にＳＳＣＦ−ＮＮＩ１３から受信した最後の信号のシーケンス番号（例えばＳＮ＝９９）とＡＡＬ−ＢＳＮＴ−確認で通知された信号のシーケンス番号（ＳＮ＝１００）の番号差分を取得する（Ｓ７）。
シーケンス番号差分が１あるので、ＭＴＰ３  １１はＡＡＬ−回収要求−ＦＳＮＣ−要求をＳＳＣＦ−ＮＮＩ１３に送信し、ＡＡＬ−回収要求−ＦＳＮＣ−要求を受信したＳＳＣＦ−ＮＮＩ１３がＡＡ−回収−要求をＳＳＣＯＰ１４に送信し、ＳＳＣＯＰ１４が受信バッファに残っている信号（シーケンス番号（ＳＮ＝１００））をＡＡ−回収−表示に載せてＳＳＣＦ−ＮＮＩ１３に送信する。次に、ＡＡ−回収−表示を受信したＳＳＣＦ−ＮＮＩ１３がＡＡＬ−回収メッセージ−表示にて回収した信号（シーケンス番号（ＳＮ＝１００））をＭＴＰ３  １１に送信する（Ｓ８）。
ＭＴＰ３  １１は、先ほど確認したシーケンス番号の差分が２以上ある場合は、ＡＡＬ−回収要求−ＦＳＮＣ−要求送信からＡＡＬ−回収メッセージ−表示受信をシーケンス番号差分の回数分繰返し、ＭＴＰ２  １２に残っている受信信号を全て回収する。ＭＴＰ２  １２に残っている受信信号を全て回収したＭＴＰ３  １１は、回収した最後の信号のシーケンス番号（ＳＮ＝１００）をＸＣＯにてノードＢ２に通知する（Ｓ９）。
ＸＣＯを受信したノードＢ２のＭＴＰ３’  ２１は、応答としてＸＣＡをノードＡ１に送信する（Ｓ１０）。
ＸＣＯを受信したＭＴＰ３’  ２１は、ノードＡ１が受信できた信号（シーケンス番号（ＳＮ＝１００））の次のシーケンス番号（ＳＮ＝１０１）の信号を回収するために、ＡＡＬ−回収要求−ＦＳＮＣ−要求をＳＳＣＦ−ＮＮＩ’  ２３に送信し（Ｓ１１）し、ＡＡＬ−回収要求−ＦＳＮＣ−要求を受信したＳＳＣＦ−ＮＮＩ’  ２３がＡＡ−回収−要求をＳＳＣＯＰ’  ２４に送信する。
ＸＣＯを受信したＭＴＰ３’  ２１は、ノードＡ１が受信できた信号（シーケンス番号（ＳＮ＝１００））の次のシーケンス番号（ＳＮ＝１０１）の信号を回収するために、ＡＡＬ−回収要求−ＦＳＮＣ−要求をＳＳＣＦ−ＮＮＩ’  ２３に送信し（Ｓ１１）し、ＡＡＬ−回収要求−ＦＳＮＣ−要求を受信したＳＳＣＦ−ＮＮＩ’  ２３がＡＡ−回収−要求をＳＳＣＯＰ’  ２４に送信する。
ＳＳＣＯＰ’  ２４は送信バッファに残っている信号（シーケンス番号（ＳＮ＝１０１））をＡＡ−回収−表示に載せてＳＳＣＦ−ＮＮＩ’  ２３に送信し（Ｓ１２）、ＡＡ−回収−表示を受信したＳＳＣＦ−ＮＮＩ’  ２３がＡＡ−回収−表示にて回収された信号（シーケンス番号（ＳＮ＝１０１））をＡＡＬ−回収メッセージ−表示に載せてＭＴＰ３’  ２１に送信する。
ＭＴＰ３’  ２１は、回収した信号（シーケンス番号（ＳＮ＝１０１））を切替え先となる新リンクのＭＴＰ３’に渡し、シーケンス番号（ＳＮ＝１０１）以降の信号を新リンクに送信する（Ｓ１３）ことによりリンク切替えが完了する。
このようにシグナリング処理装置を動作させることで、接続中のリンクの障害を検出したシグナリング処理装置において、リンク切替えによる信号ロスが発生しないリンク切替方法を提供できる。即ち、接続中リンクの障害を検出したときのリンク切替え時に、リンク切替えによる信号ロスを防止するシグナリング処理装置を提供できる。
次に、本発明の第２の実施の一形態のＡＴＭ網に接続しているシグナリング処理装置を説明する。第２の実施の一形態の説明は、シグナリング処理装置ノードＡ１とノードＢ２の間でのリンク切替えの動作フローを、図３を用いて行なう。尚、第２の実施の一形態の構成は図１と同じであるので、説明は省略する。
第２の実施の一形態のシグナリング処理装置は、第１の実施の一形態のシグナリング処理装置と異なり、ＭＴＰ２は、ＳＳＣＦ−ＮＮＩが１／４／１（非運用／出側切断起動中）状態であるときに受信した信号を、ＭＴＰ３からデータ回収されるまで保持する仕様とする。
図３は、第２の実施の一形態のＡＴＭ網に接続しているシグナリング処理装置間におけるリンク切換動作を例示するシーケンス図である。まず、Ｓ２１、Ｓ２２の動作は、第１の実施の一形態の動作であるＳ１、Ｓ２と同じであるため説明は省略する。尚、このとき、ＭＴＰ３  １１は、接続していたリンクの停止（解放）完了を示す信号（リンク停止完了信号）の通知があるまで、ＡＡＬ−ＢＳＮＴ回収−要求を送信しない。
ＡＡ−データ−表示にて信号のシーケンス番号（ＳＮ＝１０１）を受信したＳＳＣＦ−ＮＮＩ１３は、１／４／１（非運用／出側切断起動中）状態であるが受信した信号のシーケンス番号（ＳＮ＝１０１）を記憶保持する。
ＳＳＣＯＰ１４から送信されたＥＮＤを受信したノードＢ２のＳＳＣＯＰ’  ２４は、ＳＳＣＯＰ１４にＥＮＤＡＫを送信する（Ｓ２３）。
ＥＮＤＡＫを受信したＳＳＣＯＰ１４は、ＡＡ−解放−確認をＳＳＣＦ−ＮＮＩ１３に送信し、１（アイドル）状態に遷移する。ＡＡ−解放−要求を受信したＳＳＣＦ−ＮＮＩ１３は、ＭＴＰ３  １１にリンク停止完了信号を送信し（Ｓ２４）、１／１／１（非運用／アイドル）状態に遷移してリンク停止する。
リンク停止完了信号を受信したＭＴＰ３  １１は、ＡＡＬ−ＢＳＮＴ回収−要求をＳＳＣＦ−ＮＮＩ１３に送信し、ＳＳＣＦ−ＮＮＩ１３は最後に受信した信号のシーケンス番号（ＳＮ＝１０１）をＡＡＬ−ＢＳＮＴ−確認にてＭＴＰ３  １１に通知する（Ｓ２５）。
ＡＡＬ−ＢＳＮＴ−確認にて最後に受信した信号のシーケンス番号（ＳＮ＝１０１）をＭＴＰ３  １１に通知したＳＳＣＦ−ＮＮＩ１３は、記憶保持していたシーケンス番号を破棄する（Ｓ２６）。尚、このときに、受信バッファに記憶保持されているＳＮ＝１０１のＳＤ信号は破棄しない。
ＭＴＰ３  １１は、リンク停止前にＳＳＣＦ−ＮＮＩ１３から受信した信号のシーケンス番号（例えばＳＮ＝９９）とＡＡＬ−ＢＳＮＴ−確認で通知された信号のシーケンス番号（ＳＮ＝１０１）の番号差分をとる（Ｓ２７）。尚、このときシーケンス番号（ＳＮ＝９９）は、既にＭＴＰ２  １２からＭＴＰ３  １１に正常に送信済みであり、シーケンス番号（ＳＮ＝１００）は、まだＭＴＰ２  １２から受信していないものとして説明する。
本動作例ではシーケンス番号の差分が２（ＳＮ＝１０１−ＳＮ＝９９）あるので、ＭＴＰ３  １１はＡＡＬ−回収要求−ＦＳＮＣ−要求をＳＳＣＦ−ＮＮＩ１３に送信し、ＡＡＬ−回収要求−ＦＳＮＣ−要求を受信したＳＳＣＦ−ＮＮＩ１３は、ＡＡ−回収−要求をＳＳＣＯＰ１４に送信し、ＳＳＣＯＰ１４は受信バッファに残っている信号（ＳＮ＝１００及びＳＮ＝１０１）を順にＡＡ−回収−表示に載せてＳＳＣＦ−ＮＮＩ１３に送信する。ＡＡ−回収−表示を受信したＳＳＣＦ−ＮＮＩ１３は、ＡＡＬ−回収メッセージ−表示にて回収した信号（ＳＮ＝１００及びＳＮ＝１０１）をＭＴＰ３  １１に送信する（Ｓ２８）。
ＭＴＰ３  １１はＡＡＬ−回収要求−ＦＳＮＣ−要求からＳ２８までの動作をシーケンス差分の回数分繰り返し、ＭＴＰ２  １２に残っている受信信号を全て回収する。
ＭＴＰ２  １２に残っている受信信号を全て回収したＭＴＰ３  １１は、回収した最後の信号のシーケンス番号（ＳＮ＝１０１）をＸＣＯにてノードＢ２に通知し（Ｓ２９）、ＸＣＯを受信したノードＢ２のＭＴＰ３’  ２１は、応答としてＸＣＡをノードＡ１に送信する（Ｓ３０）。
ＸＣＯを受信したＭＴＰ３’  ２１は、ノードＡ１が受信した信号（シーケンス番号（ＳＮ＝１０１））の次のシーケンス番号（ＳＮ＝１０２）の信号を回収するためにＡＡＬ−回収要求−ＦＳＮＣ−要求をＳＳＣＦ−ＮＮＩ’  ２３に送信し（Ｓ３１）し、ＡＡＬ−回収要求−ＦＳＮＣ−要求を受信したＳＳＣＦ−ＮＮＩ’  ２３は、ＡＡ−回収−要求をＳＳＣＯＰ’  ２４に送信する。ＳＳＣＯＰ’  ２４は送信バッファに残っている信号（シーケンス番号（ＳＮ＝１０２））をＡＡ−回収−表示に載せてＳＳＣＦ−ＮＮＩ’  ２３に送信し（Ｓ３２）、ＡＡ−回収−表示を受信したＳＳＣＦ−ＮＮＩ’  ２３は、ＡＡ−回収−表示にて回収された信号（シーケンス番号（ＳＮ＝１０２））をＡＡＬ−回収メッセージ−表示に載せてＭＴＰ３’  ２１に送信する。ＭＴＰ３’  ２１は回収した信号（シーケンス番号（ＳＮ＝１０２））を切替え先となる新リンクのＭＴＰ３’に渡し、シーケンス番号（ＳＮ＝１０２）以降の信号を新リンクに送信する（Ｓ３３）ことによりリンク切替えが完了する。
尚、上記実施の一形態では、接続中のリンクの障害を検出して対向するシグナリング処理装置にリンク解放処理要求を通知後、切断起動中状態に遷移するまでの間に受信した信号を回収して信号ロスを防止する形態を詳細に説明したが、リンク解放処理要求を通知後リンク解放処理要求に対する応答を受信するまでの間に受信した信号も回収して同様に信号ロスを防止できる。
一例としては、シグナリンク処理装置において、リンク障害を検出してＥＮＤ送信した後で、対向するシグナリング処理装置からＥＮＤＡＫを受信するまでの間に受信したＳＤ信号を全てバッファに記憶保存して、ＭＴＰ２がＥＮＤＡＫを受信した場合に、ＭＴＰ３に対して接続していたリンクの停止（解放）完了を示す信号を通知して、その後ＭＴＰ３から全ての信号の回収処理を実施してリンク切替を行なうようにすれば良い。
また、上記実施の一形態では、接続中のリンクの障害を検出して対向するシグナリング処理装置にリンク解放処理要求を通知後、ＭＴＰ２が受信したＳＤ信号を記憶保存して信号を回収して信号ロスを防止する形態を詳細に説明したが、ＭＴＰ２がリンク解放処理要求を送信後に受信したＳＤ信号を全て破棄する様にしても同様に信号ロスを防止できる。
一例としては、シグナリンク処理装置において、リンク障害を検出してＥＮＤ送信した後、ＭＴＰ２が受信したＳＤ信号をバッファに一時記憶後又は記憶せずに破棄し、ＭＴＰ２がＥＮＤＡＫを受信した場合に、ＭＴＰ３に対して接続していたリンクの停止（解放）完了を示す信号を通知し、ＭＴＰ３がリンクの停止（解放）完了を示す信号の通知を受けて、ＭＴＰ２に記憶されている未回収の信号の回収処理を実施し、ＭＴＰ３が回収した最後の信号のシーケンス番号をＸＣＯにてノードＢ２に通知して、その後リンク切替を行なうようにすれば良い。
以上説明したように、本発明の実施の形態においては、以下に記載するような効果を有する。
ＳＳＣＦ−ＮＮＩ１３からリンク停止が完了したことを通知するリンク停止完了信号をＭＴＰ３  １１に通知することにより、ＭＴＰ３  １１はＳＳＣＦ−ＮＮＩ１３が受信した回収すべき信号のシーケンス番号を確認するためのＡＡＬ−ＢＳＮＴ回収−要求を送信するタイミングを識別でき、当該タイミングでＭＴＰ３  １１からＡＡＬ−ＢＳＮＴ回収−要求を送信することにより、確実に回収すべき信号のシーケンス番号を取得できる。
また、回収すべき信号のシーケンス番号から回収すべき信号数が取得できるため、ＭＴＰ２に未回収の信号を回収するための要求メッセージを回収信号数分送信することにより、回収すべき信号を確実に回収できる。
更に、対向するシグナリンク処理装置に対して、適切なシーケンス番号を付したＸＣＯを送信可能となる。
尚、上記実施の形態において、ＡＴＭ網に接続しているシグナリング処理装置間の接続リンクにてリンク障害が発生した時のリンク切替え方式を説明したが、ＴＤＭ網に接続しているシグナリング処理装置間の接続リンクにおけるリンク障害発生時のリンク切替え方法でもよい。
また、シグナリング処理装置は、接続しているＡＴＭ網として、ユーザ網インタフェース（ＵＮＩ）またはネットワークノードインタフェース（ＮＮＩ）と接続する構成としても良い。
また、シグナリング処理装置は、ＡＴＭ網との間のインタフェースとして、Ｔ１／Ｅ１／ＳＴＭ−０／ＳＴＭ−１など、何れの回線速度でＡＴＭ網に接続する構成としても良い。
またこの時、各シグナリング処理装置のノード構成としては、ＭＴＰ３、ＭＴＰ２から構成されるシグナリング処理装置であれば、何れの構成でも良い。
本発明は、ＡＴＭ網に接続しているシグナリング処理装置間におけるリンク切替えに使用できる。また、ＴＤＭ網に接続しているシグナリング処理装置間におけるリンク切替えに使用できる。
具体的には、ＩＴＵ−Ｔ  Ｑ．２２１０（ＭＴＰ３）、ＩＴＵ−Ｔ  Ｑ．２１４０（ＳＳＣＦ−ＮＮＩ）、ＩＴＵ−Ｔ  Ｑ．２１１０（ＳＳＣＯＰ）に準拠したシグナリング処理装置に適用できる。同じく、ＴＴＣ  ＪＴ−Ｑ２２１０（ＭＴＰ３）、ＴＴＣ  ＪＴ−Ｑ２１４０（ＳＳＣＦ−ＮＮＩ）、ＴＴＣ  ＪＴ−Ｑ２１１０（ＳＳＣＯＰ）に準拠したシグナリング処理装置に適用できる。
この出願は、２００９年１月２１日に出願された日本出願特願第２００９−０１１２６６号を基礎とする優先権を主張し、その開示のすべてをここに取り込むものである。
【図１】
2010084992.tif 000003
【図２】
2010084992.tif 000004
【図３】
2010084992.tif 000005
【図４】
2010084992.tif 000006
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
接続中のリンクの障害を検出するリンク障害検出手段と、レイヤ２のメッセージ転送部と、レイヤ３のメッセージ転送部とを備え、
前記レイヤ２のメッセージ転送部は、前記リンク障害検出手段がリンクの障害を検出し、対向するシグナリング処理装置にリンク解放処理要求を通知後、リンク解放処理要求に対する応答を受信した場合に、前記レイヤ３のメッセージ転送部に対して、接続していたリンクの停止（解放）完了を示す信号を通知し、
前記レイヤ３のメッセージ転送部は、前記リンクの停止（解放）完了を示す信号の通知を受けた場合に、前記レイヤ２のメッセージ転送部に記憶されている未回収の受信信号の回収処理を実施する
ことを特徴とするシグナリング処理装置。
【請求項２】
請求項１に記載のシグナリング処理装置において、前記レイヤ２のメッセージ転送部は、対向するシグナリング処理装置にリンク解放処理要求を通知後、切断起動中状態に遷移するまでに、前記対向するシグナリング処理装置から送信された送信信号を受信した場合に、前記送信信号を記憶することを特徴とするシグナリング処理装置。
【請求項３】
請求項１及び２のいずれかに記載のシグナリング処理装置において、前記レイヤ３のメッセージ転送部は、前記リンク解放処理要求を通知後、前記リンクの停止（解放）完了を示す信号の通知を受けるまで、レイヤ２から、対向するシグナリング処理装置から受信した信号の回収を待機することを特徴とするシグナリング処理装置。
【請求項４】
請求項１に記載のシグナリング処理装置において、前記レイヤ３のメッセージ転送部は、
リンク解放処理要求を通知後、前記リンクの停止（解放）完了を示す信号の通知を受けるまで、レイヤ２のメッセージ転送部に対するＳＤ（Ｓｅｑｕｅｎｃｅｄ  Ｄａｔａ）信号の回収要求を待機すると共に、
前記リンクの停止（解放）完了を示す信号の通知を受けた場合に、レイヤ２のメッセージ転送部に記憶されている前記ＳＤ信号を回収する
ことを特徴とするシグナリング処理装置。
【請求項５】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置を備え、
前記レイヤ３のメッセージ転送部は、
前記ＳＳＣＦ処理装置に同位間通信の停止を要求し、
同位間通信の停止を要求後、前記ＳＳＣＦ処理装置からリンク解放の完了を示す信号を受けるまで、前記ＳＳＣＦ処理装置に対するＢＳＮＴ回収要求の送信を待機すると共に、前記リンク解放の完了を示す信号を受けた場合に、前記ＳＳＣＦ処理装置に対してＢＳＮＴ回収要求を送信して、回収すべきＳＤ（Ｓｅｑｕｅｎｃｅｄ  Ｄａｔａ）信号のシーケンス番号を取得し、
前記取得した回収すべきＳＤ信号のシーケンス番号に基づいて、前記ＳＳＣＦ処理装置に対して、未回収信号の回収要求を送信して、前記回収すべきＳＤ信号を回収する
ことを特徴とするシグナリング処理装置。
【請求項６】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記ＳＳＣＦ処理装置は、
前記レイヤ３のメッセージ転送部から送信された同位間通信の停止の要求を受けて、前記ＳＳＣＯＰ処理装置に対してＡＡ−解放−要求を送信すると共に非運用/出側切断起動中状態に遷移し、
非運用/出側切断起動中状態で、前記ＳＳＣＯＰ処理装置からＡＡ−解放−確認を受信したときに、前記レイヤ３のメッセージ転送部に対して、リンク解放の完了を示す信号を通知すると共に、非運用/アイドル状態に遷移する
ことを特徴とするシグナリング処理装置。
【請求項７】
請求項１に記載のシグナリング処理装置において、
前記レイヤ２のメッセージ転送部は、ＳＳＣＦ（ｓｅｒｖｉｃｅ  ｓｐｅｃｉｆｉｃ  ｃｏｏｄｉｎａｔｉｏｎ  ｆｕｎｃｔｉｏｎ）処理装置、及び、ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）処理装置を備え、
前記レイヤ３のメッセージ転送部は、前記ＳＳＣＦ処理装置に同位間通信の停止を要求し、同位間通信の停止を要求後、前記ＳＳＣＦ処理装置からリンク解放の完了を示す信号を受けるまで、前記ＳＳＣＦ処理装置に対するＢＳＮＴ回収要求の送信を待機すると共に、前記リンク解放の完了を示す信号を受けた場合に、前記ＳＳＣＦ処理装置に対してＢＳＮＴ回収要求を送信して、回収すべきＳＤ（Ｓｅｑｕｅｎｃｅｄ  Ｄａｔａ）信号のシーケンス番号を取得し、前記取得した回収すべきＳＤ信号のシーケンス番号に基づいて、前記ＳＳＣＦ処理装置に対して、未回収信号の回収要求を送信して、前記回収すべきＳＤ信号を回収し、
前記ＳＳＣＦ処理装置は、前記レイヤ３のメッセージ転送部から送信された同位間通信の停止の要求を受けて、前記ＳＳＣＯＰ処理装置に対してＡＡ−解放−要求を送信すると共に非運用/出側切断起動中状態に遷移し、非運用/出側切断起動中状態で、前記ＳＳＣＯＰ処理装置からＡＡ−解放−確認を受信したときに、前記レイヤ３のメッセージ転送部に対して、リンク解放の完了を示す信号を通知すると共に、非運用/アイドル状態に遷移する
ことを特徴とするシグナリング処理装置。
【請求項８】
請求項７記載のシグナリング処理装置において、
前記レイヤ３のメッセージ転送部は、勧告Q.2210に準拠し、
前記ＳＳＣＦは、勧告Q.2140に準拠し、
前記レイヤ３のメッセージ転送部は、同位間通信の停止を要求して、前記ＳＳＣＦからリンク解放の完了を示す信号を受けるまで、前記ＳＳＣＦに対するＢＳＮＴ回収要求の送信を待機し、
前記ＳＳＣＦから前記リンク解放の完了を示す信号を受けた場合に、前記ＳＳＣＦに対してＢＳＮＴ回収要求を送信して、回収すべきＳＤ信号のシーケンス番号を取得し、
前記取得した回収すべきＳＤ信号のシーケンス番号に基づいて、前記ＳＳＣＦに対して、未回収信号の回収要求を送信して、前記回収すべきＳＤ信号を回収する
ことを特徴とするシグナリング処理装置。
【請求項９】
レイヤ２のメッセージ転送部及びレイヤ３のメッセージ転送部を備えるシグナリング処理装置が、対向するシグナリング処理装置との間に接続中のリンクの障害を検出する障害検出段階と、
前記対向するシグナリング処理装置にリンク解放処理要求を通知する要求通知段階と、
前記リンク解放処理要求に対する応答を受信した場合に、前記レイヤ２のメッセージ転送部から前記レイヤ３のメッセージ転送部に対して、接続していたリンクの停止（解放）完了を示す信号を通知する停止通知段階と、
前記レイヤ３のメッセージ転送部は、前記リンクの停止（解放）完了を示す信号の通知を受けて、前記レイヤ２のメッセージ転送部に記憶されている未回収の受信信号の回収処理を実施する回収段階と、
前記未回収の受信信号の回収処理を実施後に、前記対向するシグナリング処理装置間とのリンクを切り替える切替段階と
を含むことを特徴とするリンク切替方法。
【請求項１０】
請求項９に記載のリンク切替方法において、
前記停止通知段階にて、前記リンク解放処理要求を通知してから切断起動中状態に遷移するまでに、前記対向するシグナリング処理装置から送信された送信信号を受信した場合に、前記送信信号を記憶し、
前記未回収の受信信号の回収処理として、前記送信信号の回収処理を実施後に、前記切替段階を行う
ことを特徴とするリンク切替方法。
【請求項１１】
請求項９及び１０のいずれかに記載のリンク切替方法において、
前記レイヤ３のメッセージ転送部は、リンク解放処理要求を通知後、前記リンクの停止（解放）完了を示す信号の通知を受けるまで、前記レイヤ２のメッセージ転送部に対する送信信号の回収を待機する
ことを特徴とするリンク切替方法。
【国際調査報告】
2010084992.tif 000007
2010084992.tif 000008
2010084992.tif 000009
2010084992.tif 000010